【事件の表示】
　平成　６年特許願第　４３００７号「移動用支持バーの取付装置」拒絶査定不服審判事件〔平成　７年　８月１５日出願公開、特開平　７−２１３５６３号〕について、次のとおり審決する。
【結　論】
　本件審判の請求は、成り立たない。
【理　由】
Ｉ．手続の経緯
　本願は、平成６年２月４日の出願であって、平成１４年１２月２４日付けで手続補正がなされたが、平成１５年３月１２日付けで拒絶査定がなされ、これに対し、同年４月１８日に拒絶査定に対する審判請求がなされるとともに、同年５月１９日付けで明細書について手続補正がなされたものである。
　
ＩＩ．平成１５年５月１９日付けの手続補正についての補正却下の決定
［補正却下の決定の結論］
　平成１５年５月１９日付けの手続補正（以下、「本件補正」という。）を却下する。
［理由］
１．補正後の本願発明
　本件補正により、特許請求の範囲の請求項１は、次のように補正された。
「函体状の取付ベースを介して移動用支持バーをベッドの側縁に取付けるよう形成した移動用支持バーの取付装置において、該取付ベースの内部には支持バー固定片が内蔵してあり、該支持バー固定片の一側部に支持バー固定用穴を設けた基部と、他側部には前記基部より互いに対向する翼片を設け、翼片には止め芯金の貫通孔を穿設してあり、この貫通孔はねじ切りをしたものであって、固定用片には翼片間に開口する縦方向のスリットを設けてなるものであって、一方、前記取付ベースには外側よりハンドルが取付けてあり、該ハンドルはその基端部を、一部切欠いた円状のカムを固着したものであって、カムが取付ベースの表面に沿って回転するように形成したものであって、ハンドルは一方の翼片の止め芯金貫通孔を貫通して他方の翼片と芯金によって連結したものであって、ハンドルを操作することによってスリットが開閉するように形成してあり、かつ、ベッドの側板の所用の表面箇所にこの発明の移動用支持バーの取付装置を当接し、Ｕ字状取付金物の一端部を取付ベースの下面に設けた取付用穴に挿入し、他端部に固着したナットにボルトを緊結し、側板の裏面を押圧することによって固定してなる移動用支持バーの取付装置。」
　
２．補正の目的、及び新規事項の追加の有無
　上記補正は、平成１４年１２月２４日付け手続補正書により補正された明細書の特許請求の範囲（以下、「拒絶査定時の特許請求の範囲」という。）の請求項１に記載した「移動用支持バーの取付装置」について
「ベッドの側板の所用の表面箇所にこの発明の移動用支持バーの取付装置を当接し、Ｕ字状取付金物の一端部を取付ベースの下面に設けた取付用穴に挿入し、他端部に固着したナットにボルトを緊結し、側板の裏面を押圧することによって固定してなる」との限定を付加したものであり、特許法第１７条の２第４項第２号に規定する特許請求の範囲の減縮を目的とした補正に該当する。
　そして、本件補正は、新規事項を追加するものでもない。
　
　そこで、本件補正後の前記請求項１に記載された発明（以下、「本願補正発明」という。）が特許出願の際独立して特許を受けることができるものであるか（平成１５年改正前特許法第１７条の２第５項において準用する同法第１２６条第４項の規定に適合するか）について以下に検討する。
　
３−１．引用例
　原査定の拒絶の理由に引用された実公平２−７５４６号公報（以下、「引用例１」という。）には、「患者用移動介助装置」に関して、以下の事項が図面とともに記載されている。
（１）「（産業上の利用分野）この考案は主に病院、養護施設においてベツドに取付け、立上り、歩行困難な人が自身で移動する際の患者用移動介助装置に関するものである。」（第１欄第２１〜２４行）
（２）「ところで歩行困難な人が自身で起き上り、起立、歩行等の動作を行う場合には、普人に比べてより自己の手、あるいは他の支持物の介助が必要であるが、従来のベツドには側縁部分を支持する器具がなく、前記各動作を行う場合には非常に難渋する例が多かつた。
  とくにベツドから車椅子、あるいはポータブル便器等に移行する際は床面に起立し若干の歩行を行う等、ベツドから移動しなければならず、何ら身体を支持するものがない場合は非常に難渋するものであつた。」（第２欄第５〜１５行）
（３）「（問題点を解決するための手段）この考案は前記従来の問題点に対処するために、上部に複数段の水平部を設けた支持バーを連結具によつてベツドのフレームに取付けるよう形成したものである。そして支持バーはフレームに平行、直角、あるいは所望の角度に取付けられる。この支持バーはフレームを挾持して固定される連結具に挿入することにより取付けられ、支持バー固定用ハンドルを廻転させることにより、着脱、高さ調節あるいは角度変更ができるよう構成してある。」（第３欄第８〜１８行）
（４）「支持バー１は、ベツドに取付けた時にはベツドの上面より高くなるよう形成してあり、鋼製丸パイプを屈曲した構成からなり、上部には倒立Ｕ字状に形成した把持部３が設けてあり、この把持部は上、下二段の水平部３ａ、及び高さ方向に半円状に折曲した側部３ｂが設けてあり、側部３ｂに対向する他側部３ｃは隅角部を曲線状に形成し、さらに下垂してありベツド取付部４となり、その下端部にはボルト孔４ａが穿設してある。また下方水平部３ａの前記側部３ｂに寄つた位置からは、前記ベツド取付部に平行に接地用の脚杆５が下垂してあり、この脚杆５の下端には、さらに鋼製丸パイプによる脚支杆６が挿入してあり脚杆５の下端に取付けた高さ調節用のボルト７を緊結することにより高さ調節自在に固定されるよう形成してあり、脚支杆６の下端には保護キヤツプ８が取付けてある。
  連結具２は金属製であり、ベツドのフレームＡの外側に配設される取付ベース９と、フレームＡの内側に配設される締付板１０と、これらを固定する締付ボルト１１、及び支持バー固定用ハンドル１２等からなつている。」（第３欄第２４行〜第４欄第１行）
（５）「取付ベース９は正面９ａを横長長方形状に形成し、その中央部には左、右に並んでハンドル取付用孔１３とボルト孔１４が穿設してあり、上部及び下部を背面方向に直角に折曲して水平に上、下面９ｂと９ｃとを形成し、これら上、下面９ｂ，９ｃの各中央部に対向的に支持フレーム挿通孔１５を穿設してある。また上面９ｂの左、右側部には上方に隆起しており、この隆起部分に正面に開口する締付板固定用のボルト孔１６が穿設してあり、下面９ｃの左、右側部も下方に隆起してあり、この隆起部分には背面を開口する締付板固定用のナツト１７が固着してある。さらに正面９ａの左、右側部は背面方向へ斜めに折曲して側面９ｄを形成している。背面９ｅの中央部には支持バー固定用のブラケツト１８が固着してある。このブラケツト１８は横長長方形板をこれの台形波形状に折曲したもので、左、右側部は上下方向の突起１８ａとなり、その右側突起１８ａには前記ハンドル取付用孔１２に対応するハンドル取付用孔１８ｂが、左側突起１８ａには前記ボルト孔１４に対応するボルト孔１８ｃが穿設してある。また中央部は上下方向に向く支持バー固定用の凹溝１８ｄとなつている。」（第４欄第２〜２４行）
（６）「１９はブラケツト１８に対向的に取付けてある支持バー固定用片を示すものである。この支持バー固定用片１９は横長直方体状に形成してあり、その幅方向中央部には上下方向に向く支持バー固定用の丸溝１９ａが設けてあり、また右側部には前記ハンドル取付用孔１８ｂに対応するハンドル取付用のねじ孔１９ｂが、左側部には前記ボルト孔１８ｃに対応するボルトのねじ孔１９ｃが穿設してある。
  そして支持バー固定用ハンドル１２が、取付ベース９のハンドル取付用孔１３からブラケツト１８のハンドル取付用孔１８ｂを貫通して支持バー固定用片１９のねじ孔１９ｂにねじ込まれて取付けてある。また取付ベース９のボルト孔１４からは、締付ボルト１１がブラケツト１８のボルト孔１８ｃを貫通し支持バー固定用片１９のねじ孔１９ｃにねじ込まれ、支持バー固定用片１９が取付けてあり、支持バー固定用片１９の丸溝１９ａと、ブラケツト１８の支持バー固定用の凹溝１８ｄとに囲まれた部分が上下に開口する支持バー挿通穴となつており、支持バー１のベツド取付部４を挿通してなるものである。」（第４欄第２５行〜第５欄第２行）
（７）「締付板１０は縦長長方形板の上端部を正面方向に直角に折曲したもので、その上端折曲部分には前記取付ベース９のボルト孔１６に対応して、正面方向に水平に向く取付ベース固定用のナツト２０が固着してある。また下端部には前記取付ベース９のナツト１７に対応してボルト孔１０ａが、さらに中間部には縦方向に並列してボルト孔１０ｂが二個穿設してある。そして締付板１０は二枚組になつており、取付ベース９の裏側に配設される。すなわち上部においては取付ベース９のボルト孔１６から締付ボルト１１を挿通し、この締付ボルト１１は取付ベース固定用のナツト２０に枢着してあり、また下部においては締付板１０のボルト孔１０ａより締付ボルト１１を挿通し、この締付ボルト１１は取付ベース９のナツト１７に枢着し、取付ベース９の左右に各々一枚ずつ締付板１０を取付けるよう構成してある。
  以上の連結具２はベツドの左、右側縁に設けたフレームＡの所要個所に着脱自在に取付けられる。すなわち取付ベース９をフレームＡの外側から添接する。この場合、取付ベース９の上部締付固定用のボルト孔１６はフレームＡより上方にくるよう配置し、下部締付固定用のナツト１７はフレームＡより下方にくるよう配置する。また締付板１０をフレームＡの内側より添接し、取付ベース９のボルト孔１６から締付板１０のナツト２０に締付ボルト１１を緊結し、締付板１０のボルト孔１０ａから取付ベース９のナツト１７に締付ボルト１１を緊結してフレームＡを挾持するようにして連結具２を固定する。そして前記上下において締付ボルト１１にて緊結した場合に、万一確実に固定できない場合はさらに締付板１０のボルト孔１０ｂより締付ボルト１１′をねじ込みフレームＡを内側より押圧して固定する。」（第５欄第３〜３６行）
（８）「ベツドのフレームＡに連結具２を固定した後に支持バー１を連結具２に連結する。この場合、連結具２に設けた支持バー挿通穴に上方より支持バー１のベツド取付部４を挿通する。そして用途に応じて支持バー１をベツドに平行、あるいは直角、その他適宜な角度でもつて配設し、また使用者の背丈、ベツドの高さに応じて、支持バー１の脚杆５に挿入した脚支杆６の高さ調節を行い高さ調節用のボルト７を緊結して固定し、さらに連結具２の支持バー固定用ハンドル１２を時計廻りに回転させれば、支持バー固定用片１９が支持バー１の方向に移動し、ブラケツト１８と共に支持バー１のベツド取付部４を挾持し、支持バー１はベツドのフレームＡに固定される。」（第５欄第３７行〜第６欄第６行）
（９）「ベツドのフレームＡに固定した支持バー１を高さ調節あるいは取外す場合には、支持バー固定用ハンドル１２を反時計廻りに回転させれば、支持バー固定用片１９が外側方向に移動し、支持バー１は上下に滑動でき、あるいは上方より引抜くことができる。」（第６欄第１４〜１９行）
　
　したがって、上記（１）〜（９）の記載から引用例１には次の発明（以下、「引用発明」という。）が記載されていると認められる。
　
「ベッドのフレームＡの外側に配設される取付ベース９と、フレームＡの内側に配設される締付板１０とを介して、支持バー１をベッドのフレームＡに取付けるよう形成した支持バー１の取付装置において、取付ベース９の内部に支持バー固定用のブラケット１８が固着してあり、ブラケット１８には対向的に支持バー固定用片１９が取付けてあり、支持バー固定用片１９の丸溝１９ａと、ブラケット１８の支持バー固定用の凹溝１８ｄとに囲まれた部分が上下に開口する支持バー挿通穴となり、支持バー１のベッド取付部４を挿通しており、取付ベース９の表面のハンドル取付孔１３からブラケット１８のハンドル取付用孔１８ｂを貫通して、支持バー固定用ハンドル１２が支持バー固定用片１９のねじ孔１９ｂにねじ込まれて取付られ、支持バー固定用ハンドル１２の回転により支持バー固定片１９が移動し、支持バー１はベッドのフレームＡに固定され、かつ、ベッドのフレームＡの内側箇所にこの発明の支持バー１の取付装置の締付板１０を当接し、締付板１０のボルト孔１０ａより締付ボルト１１をねじ込み、フレームＡの内側を押圧して固定してなる、支持バー１の取付装置。」
　
　同じく、原査定の拒絶の理由に引用された実願平３−３２９７５号（実開平４−１０４０８５号）のマイクロフィルム（以下、「引用例２」という。）には、「自転車用シートピン」に関して、以下の事項が図面とともに記載されている。
　
「締付け軸（３）と、その一端に支軸（３０）で回動自在に軸支されたカムレバー（２）とからなり、該カムレバー（２）によって立パイプ（１）側の一対の対向する締付鍔（１３）（１３）を締付けて該立パイプ（１）を直径収縮させる自転車用シートピンにおいて、カムレバー（２）の先端のカム部（２１）の外周縁上に、回動操作前の初期状態において締付け対象たる締付鍔（１３）に当接する仮想の始点（２５）と、回動操作の途中において上記締付鍔（１３）に当接する仮想の中継点（２６）と、更に、回動操作の終了時点において締付鍔（１３）に当接する仮想の最終点（２７）を設定し、カムレバー（２）の回動中心から上記カム部外周の前記各始点（２５），中継点（２６）及び最終点（２７）までの夫々の距離（Ｒ）を順次大きくなるように設定すると共に、カムレバー（２）を単位角度回動させた際に於ける上記距離（Ｒ）の増加量が中継点（２６）より後の領域に比べてそれ以前の領域の方が大きくなるように設定し、カム部（２１）の外周における上記始点（２５）から中継点（２６）に至る領域が立パイプ（１）によるシートポストの非圧迫領域に対応するようにした自転車用シートピン。」（実用新案登録請求の範囲の請求項１）
　
３−２．対比
　本願補正発明と引用発明とを対比すると、後者の「取付ベース９」、「支持バー１」、「ベッドのフレームＡ」、「ハンドル１２」、「ベッドのフレームＡ」、「フレームＡの内側」は、その機能・構成からみて、それぞれ前者の「函体状の取付ベース」、「移動用支持バー」、「ベッドの側縁」、「ハンドル」、「ベッドの側板」、「側板の裏面」に相当する。また、後者の「ブラケット１８の支持バー固定用の凹溝１８ｄ」と「支持バー固定用片１９の丸溝１９ａ」とに囲まれた部分は、支持バー挿通穴を構成することから、前者の「支持バー固定用穴」に対応し、後者の「ブラケット１８」及び「支持バー固定用片１９」と、前者の「支持バー固定片」とは、どちらも「支持バー固定用穴」を設けた「金具」であるという点で共通している。
　したがって、両者は本願補正発明の用語を用いて表現すると
　
「函体状の取付ベースを介して移動用支持バーをベッドの側縁に取付けるよう形成した移動用支持バーの取付装置において、取付ベースの内部に支持バー固定用穴を設けた金具を備え、取付ベースには外側よりハンドルを固着したものであって、ハンドルを操作することで支持バー固定用穴に挿通した移動用支持バーを固定し、かつ、ベッドの側板の箇所にこの発明の移動用支持バーの取付装置を当接し、ボルトをねじ込み、側板の裏面を押圧することによって固定してなる移動用支持バーの取付装置。」の点で一致し、次の点で相違する。
　
　＜相違点１＞
　支持バー固定用穴を設けた金具が、本願補正発明では、一側部に支持バー固定用穴を設けた基部と、他側部に基部より互いに対向する翼片を設け、翼片には止め芯金の貫通孔を穿設してあり、この貫通孔はねじ切りをしたものであって、固定用片には翼片間に開口する縦方向のスリットを設けたものであり、取付ベースに取付けたハンドルはその基端部を、一部切欠いた円状のカムを固着したものであり、カムが取付ベースの表面に沿って回転するように形成したものであって、ハンドルは一方の翼片の止め芯金貫通孔を貫通して他方の翼片と芯金によって連結したものであって、ハンドルを操作することによってスリットを開閉するように形成したのに対し、
　引用発明では、取付ベース９の内部に支持バー固定用のブラケット１８が固着してあり、ブラケット１８には対向的に支持バー固定用片１９が取付けてあり、支持バー固定用片１９の丸溝１９ａと、ブラケット１８の支持バー固定用の凹溝１８ｄとに囲まれた部分が上下に開口する支持バー挿通穴となり、支持バー１のベッド取付部４を挿通しており、取付ベース９の表面のハンドル取付孔１３からブラケット１８のハンドル取付用孔１８ｂを貫通して、支持バー固定用ハンドル１２が支持バー固定用片１９のねじ孔１９ｂにねじ込まれて取付られ、支持バー固定用ハンドル１２の回転により支持バー固定片１９が移動し、支持バー１はベッドのフレームＡに固定される点。
　
　＜相違点２＞
　ベッドの側板に、この発明の移動用支持バーを固定するのに、本願補正発明が、Ｕ字状金物の一端部を取付ベースの下面に設けた取付用穴に挿入し、他端部に固着したナットにボルトを緊結し、側板の裏面を押圧することによって固定してなるのに対して、引用発明では、ベッドの側板の箇所にこの発明の支持バー１の取付装置の締付板１０を当接し、締付板１０のボルト孔１０ａより締付ボルト１１をねじ込み、フレームＡの内側を押圧して固定してなる点。
　
３−３．判断
　次にこれらの相違点について検討する。
　
＜相違点１について＞
　支持バー固定用穴を設けた金具を、一側部に支持バー固定用穴を設けた基部と他端部に基部より互いに対向する翼片を設けて、翼片間をカムレバーを回動するという簡単な操作によって支持バーを固定することは、引用例２に記載されているので、引用発明の金具に引用例２記載の発明を採用して、相違点１に係る本願補正発明の構成とすることは、当業者であれば容易に想到し得ることである。
　
＜相違点２について＞
　物品の取付ベースの下面に設けた取付穴に、Ｕ字状金物の一端部を挿入し、物品を固定する板体に、Ｕ字状金物の他端部に固着したボルト・ナット類を緊結して固定する技術は本願出願前周知の技術（必要ならば、実公昭２９−１６０００号公報、実公昭３６−２４１８号公報、実願昭５６−１０８０６１号（実開昭５８−１３３４３号）のマイクロフィルム参照）であるから、引用発明に上記周知技術を適用することにより、相違点２に係る本願補正発明の構成とすることは、当業者が容易になし得ることである。
　
　そして、相違点による構成によって奏するという明細書記載の効果も、引用発明、引用例２に記載された発明、及び周知技術から当業者であれば予測できる範囲内のものであって、格別なものとはいえない。
　
　以上のとおり、本願補正発明は、引用発明、引用例２に記載された発明、及び周知技術に基づいて当業者が容易に発明をすることができたものであるから、特許法第２９条第２項の規定により特許出願の際独立して特許を受けることができない。
　
３−４．むすび
　したがって、本件補正は、平成１５年改正前特許法第１７条の２第５項において準用する同法第１２６条第４項の規定に違反するので、特許法第１５９条第１項において読み替えて準用する同法第５３条第１項の規定により却下すべきものである。
　
ＩＩＩ．本願発明
　平成１５年５月１９日付けの手続補正は上記のとおり却下されたので、本願の請求項１に係る発明は（以下、「本願発明」という。）は、平成１４年１２月２４日付けの手続補正による、特許請求の範囲の請求項１に記載された、以下のとおりのものである。
　
「函体状の取付ベースを介して移動用支持バーをベッドの側縁に取付けるよう形成した移動用支持バーの取付装置において、該取付ベースの内部には支持バー固定片が内臓してあり、該支持バー固定片の一側部に支持バー固定用穴を設けた基部と、他側部には前記基部より、互いに対向する翼片を設け、翼片にはそれぞれねじ切りをした止め芯金貫通孔を穿設してあり、翼片間における前記支持バーには縦方向に開口するスリットを設けてるものであって、一方、取付ベースには外側よりハンドルが取付けてあり、該ハンドルは、基端部を一部切り欠いた円状のカムを固着したものでありカムが取付けベースの表面に沿って回転するように形成したものであり、ハンドルは一方の翼片の貫通孔はを貫通して他方の翼片と芯金によって連結したものであって、ハンドルを操作することによってスリットが開閉するよう形成してなる移動用支持バーの取付装置。」
　
ＩＶ．引用例
　原査定の拒絶の理由に引用された引用例及びその記載事項は、前記ＩＩ．３−１．に記載したとおりである。
　
Ｖ．対比・判断
　本願発明は、本願補正発明から、「ベッドの側板の所用の表面箇所にこの発明の移動用支持バーの取付装置を当接し、Ｕ字状取付金物の一端部を取付ベースの下面に設けた取付用穴に挿入し、他端部に固着したナットにボルトを緊結し、側板の裏面を押圧することによって固定してなる」という構成要件を削除したものである。
　そうすると、本願発明の構成要件を全て含み、さらに他の構成要件を付加したものに相当する本願補正発明が、前記ＩＩ．３−２．，３−３．に記載したとおり、引用発明、引用例２に記載された発明、及び周知技術に基づいて、当業者が容易に発明をすることができたものであるから、本願発明も、同様に、引用発明、引用例２に記載された発明、及び周知技術に基づいて当業者が容易に発明をすることができたものである。
　
ＶＩ．むすび
　以上のとおり、本願発明は、引用発明、引用例２に記載された発明、及び周知技術に基づいて当業者が容易に発明をすることができたものであるから、特許法第２９条第２項の規定により、特許を受けることができない。
　よって、結論のとおり審決する。